(57)【要約】      （修正有）【課題】発光ダイオードを光源とし、電気エネルギーを節約できるとともに、投棄する場合容易に分解でき、リサイクルのための回収が容易な電気スタンドを提供する。【解決手段】ベース１０に立設管２０の一端を挿設し、該立設管の他端には、底端が管状を呈して接続部３１となり、背面側の管壁が上方に延伸して湾曲し、板状を呈する支持部材３０を挿設し、該接続部に光透過性の材質によってなり、該支持部材の湾曲に沿って湾曲した透明湾曲桿４０を挿設し、該透明湾曲桿の両端に複数の固定ネジ６２等で発光セットをそれぞれ螺着し、該発光セットがレンズと、発光ダイオードと、変圧回路と、放熱シートと、放熱管５１Ｆ等とが順に接するように構成する。【選択図】図１
0003155139.tif 000002
【実用新案登録請求の範囲】
【請求項１】
ベースに立設管の一端を挿設し、該立設管の他端には、底端が管状を呈して接続部３１となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、
該発光セットがレンズと、レンズと、発光ダイオードと、変圧回路と、放熱シートと、放熱管とが順に接するように構成することを特徴とする電気スタンド。
【請求項２】
前記透明湾曲桿の湾曲部であって、該支持管の湾曲した板状の延伸部に接触する面に反射フィルム層を形成することを特徴とする請求項１に記載の電気スタンド。
【請求項３】
前記支持部材の該接続部に該透明湾曲桿の一端を挿設する側の該放熱管に比して、該透明湾曲桿の他端側に接続する該放熱管が極めて短いことを特徴とする請求項１に記載の電気スタンド。
【請求項４】
前記透明湾曲桿の該接続部に接続する一端とは逆の他端に設ける放熱管には、該放熱シートと該変圧回路と該レンズ固定環と該変圧回路と該発光ダイオードと該レンズとを順に接するように構成して収納する嵌入孔を形成し、該嵌入孔ａの深さは、該嵌入孔の内壁で囲まれる空間に該透明湾曲桿の湾曲して延伸する一端が嵌設できる深さとし、かつ該嵌入孔の壁面の適宜な位置にネジ孔を形成して固定ネジを貫通させ、該放熱管を透明湾曲桿の一端に螺着することを特徴とする請求項３に記載の電気スタンド。
【請求項５】
前記支持部材の板状になった一端で、該放熱管側の適宜な位置に、互いに連通するネジ孔をそれぞれ形成し、固定ネジを該ネジ孔に貫通させて、該放熱管と該支持部材の板状になった一端とを螺着することを特徴とする請求項４に記載の電気スタンド。
【請求項６】
前記発光セットのいずれにも、該変圧回路の背面から該放熱管の一端に該放熱シートをそれぞれを貼着し、該変圧回路と、該放熱シートの両端に固定ネジを貫通させて該放熱管の一端に固定させることを特徴とする請求項１に記載の電気スタンド。
【請求項７】
前記支持管は、該接続部の該透明湾曲桿を挿入する一端の適宜な位置に第３ネジ孔を穿設し、該第３ネジ孔に固定ネジを貫通させて該接続部と該透明湾曲桿の一端とを螺着し、固定することを特徴とする請求項１に記載の電気スタンド。
【請求項８】
前記支持管と該立設管とが接続する部分の適宜な位置に相対する第４ネジ孔と、第５ネジ孔とを穿設し、該第４ネジ孔と、該第５ネジ孔とに固定ネジを貫通させて、該接続部と該立設管の一端とを螺着して固定することを特徴とする請求項１に記載の電気スタンド。
【請求項９】
前記立設管の壁面の適宜な位置に通気孔を穿設することを特徴とする請求項１に記載の電気スタンド。
【請求項１０】
前記ベースが上面盤の底面に底盤を螺着してなり、該上面盤の適宜な位置には、押しボタンで弾性体を押し圧して開閉ブロックを動かす構造の開閉器を設けることを特徴とする請求項１に記載の電気スタンド。
【請求項１１】
前記支持管の湾曲した板上の部分に配線溝を形成することを特徴とする請求項１に記載の電気スタンド。
【考案の詳細な説明】
【技術分野】
【０００１】
この考案は電気スタンドに関し、特に発光ダイオードを発光体とし、かつ分解、リサイクルのための回収が容易な電気スタンドに関する。
【背景技術】
【０００２】
発明された当初から、電球はジュール熱を利用して導体を白熱させて発光させるものであって、導体としてフィラメントを利用した。係る白熱電球は、電気スタンドの光源として利用されてきた。このため、各種照明具は白熱電球を用いることを考慮したものとなった。卓上で使用する電気スタンドも然り。
【０００３】
だが、近年に至り、エネルギーの消耗が地球の温暖化を促進するという深刻な事態につながることが分かり、各国ではエネルギーを節約でき、環境保全の観念にかなった電器の開発が行われるようになった。このため、照明具についても、最も節電につながる製品が開発されている。
【０００４】
従来の電球は、電器エネルギーの消耗が激しい。このため、自ずから節電できる発光体に取って代わられようとしている。そこで、目下最も節電できるとされている発光体として発光ダイオードが注目を集めている。発光ダイオードは入力する電圧を若干高めることによって、光線が均一に分散して照射面が広がるとともに、放熱効果を高めることができる。よって、近い将来、照明具の使用上のニーズに応えるべく、必然と発光ダイオードを具えた構造の照明具が開発され、家庭内、もしくは職場に常設される照明具となるであろう。
【０００５】
発光ダイオードは体積が小さい。よって、発光ダイオードに適した照明具に転換することが難しく、この点の克服することが急務となっている。
【０００６】
発光ダイオードと、発光ダイオードに電気的に接続し。電圧を変圧して供給する電子回路とを、光透過性のプラスチック材などの材料でパッケージしで球殻形状とし、かつ該球殻形状体の底端に導電端子を設けて、その外周に螺刻して電球の形状にすれば、従来の電球を具える照明具の発光体として、電熱タングステンを有する白熱灯に取って代わることができる。即ち、従来の電器スタンドの構造を変更することなく、直接発光ダイオードを取り付けることができる。
【０００７】
然しながら、発光ダイオードと、変圧回路とをともに光透過性の材料でパッケージした場合、分解して取り出すことができない。よって、いずれかが故障した場合、全体を投棄するしかなく、また分解して分類し、リサイクルのための回収をすることが難しくなるため、二次的な環境汚染を招く。
【考案の開示】
【考案が解決しようとする課題】
【０００８】
発光ダイオードを光源とし、斜め下方に光線が均一に散って照明の目的を達成するとともに、従来の白熱灯に比して電気エネルギーを節約できる電気スタンドを提供することを課題とする。
【０００９】
また、この考案は、投棄する場合容易に分解でき、リサイクルのための回収が容易な電気スタンドを提供することを課題とする。
【課題を解決するための手段】
【００１０】
そこで、本考案者は従来の技術ｎ見られる欠点に鑑み鋭意研究を重ねた結果、発光ダイオードの照射する光線を反射させて均一に分散させる電気スタンドであって、ベースに立設管の一端を挿設し、該立設管の他端には、底端が管状を呈して接続部３１となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、該発光セットがレンズと、レンズと、発光ダイオードと、変圧回路と、放熱シートと、放熱管とが順に接するように構成する電気スタンドの構造によって課題を解決できる点に着眼し、係る知見に基づいて本考案を完成させた。
【００１１】
以下、この考案について具体的に説明する。
請求項１に記載する電気スタンドは  ベースに立設管の一端を挿設し、該立設管の他端には、底端が管状を呈して接続部３１となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、該発光セットがレンズと、レンズと、発光ダイオードと、変圧回路と、放熱シートと、放熱管とが順に接するように構成する。
【００１２】
請求項２に記載する電気スタンドは、請求項１における透明湾曲桿の湾曲部であって、該支持管の湾曲した板状の延伸部に接触する面に反射フィルム層を形成する。
【００１３】
請求項３に記載する電気スタンドは、請求項１における支持部材の該接続部に該透明湾曲桿の一端を挿設する側の該放熱管に比して、該透明湾曲桿の他端側に接続する該放熱管が極めて短い。
【００１４】
請求項４に記載する電気スタンドは、請求項３における透明湾曲桿の該接続部に接続する一端とは逆の他端に設ける放熱管に、該放熱シートと該変圧回路と該レンズ固定環と該変圧回路と該発光ダイオードと該レンズとを順に接するように構成して収納する嵌入孔を形成し、該嵌入孔ａの深さは、該嵌入孔の内壁で囲まれる空間に該透明湾曲桿の湾曲して延伸する一端が嵌設できる深さとし、かつ該嵌入孔の壁面の適宜な位置にネジ孔を形成して固定ネジを貫通させ、該放熱管を透明湾曲桿の一端に螺着する。
【００１５】
請求項５に記載する電気スタンドは、請求項４における支持部材の板状になった一端で、該放熱管側の適宜な位置に、互いに連通するネジ孔をそれぞれ形成し、固定ネジを該ネジ孔に貫通させて、該放熱管と該支持部材の板状になった一端とを螺着する。
【００１６】
請求項６に記載する電気スタンドは、請求項１における発光セットのいずれにも、該変圧回路の背面から該放熱管の一端に該放熱シートをそれぞれを貼着し、該変圧回路と、該放熱シートの両端に固定ネジを貫通させて該放熱管の一端に固定させる。
【００１７】
請求項７に記載する電気スタンドは、請求項１における支持管が、該接続部の該透明湾曲桿を挿入する一端の適宜な位置に第３ネジ孔を穿設し、該第３ネジ孔に固定ネジを貫通させて該接続部と該透明湾曲桿の一端とを螺着し、固定する。
【００１８】
請求項８に記載する電気スタンドは、請求項１における支持管と該立設管とが接続する部分の適宜な位置に相対する第４ネジ孔と、第５ネジ孔とを穿設し、該第４ネジ孔と、該第５ネジ孔とに固定ネジを貫通させて、該接続部と該立設管の一端とを螺着して固定する。
【００１９】
請求項９に記載する電気スタンドは、請求項１における立設管の壁面の適宜な位置に通気孔を穿設する。
【００２０】
請求項１０に記載する電気スタンドは、請求項１におけるベースが上面盤の底面に底盤を螺着してなり、該上面盤の適宜な位置には、押しボタンで弾性体を押し圧して開閉ブロックを動かす構造の開閉器を設ける。
【００２１】
請求項１１に記載する電気スタンドは、請求項１における支持管の湾曲した板上の部分に配線溝を形成する。
【考案の効果】
【００２２】
この考案による電気スタンドは、発光ダイオードを光源とすることによって節電できるため、使用上のコストを節約することができるとともに、電気エネルギーを節約することから環境保全の観念に適い、延いては地球の温暖化抑制に寄与することもできる。
【００２３】
また、この考案による電気スタンドは、簡易な構造で製造が容易で、製造コストを節減することができるとともに、投棄する場合には容易に分解することができ、リサイクルのための回収に便利である。よって、この点においても環境保全の観念に適い、延いては地球の温暖化抑制に寄与することもできる。
【考案を実施するための最良の形態】
【００２４】
この考案は、発光ダイオードを光源とし、電気エネルギーを節約できるとともに、投棄する場合容易に分解でき、リサイクルのための回収が容易な電気スタンドを提供するものであって、ベースに立設管の一端を挿設し、該立設管の他端には、底端が管状を呈して接続部３１となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、該発光セットがレンズと、レンズと、発光ダイオードと、変圧回路と、放熱シートと、放熱管とが順に接するように構成する。
かかる構成の電気スタンドについて、その構造と特徴を説明するために、具体的な実施例を挙げ、図面を参照にして以下に詳述する。
【実施例】
【００２５】
図１は、この考案による電気スタンドの外観を示した斜視図であって、図２は、その分解図であり、図３は主要部分の断面構造を示した説明図である。
【００２６】
図面によれば、この考案による電気スタンドは、ベース１０に立設管２０の一端を挿設し、立設管２０の他端には、湾曲した支持部材３０を挿設する。支持部材３０は底端が管状を呈して接続部３１となり、背面側の管壁が上方に延伸して湾曲した板状を呈する。また、接続部３１に光透過性の材質によってなる透明湾曲桿４０を挿設する。
【００２７】
透明湾曲桿４０は、支持部材３０の湾曲に沿って湾曲し、両端に複数の固定ネジ６０、６１、６２、６３、６４、６５で発光体セット５０、５１をそれぞれ螺着する。
【００２８】
発光体セット５０は、レンズ５０Ａと、レンズ固定環５０Ｂと、発光ダイオード５０Ｃと、変圧回路５０Dと、放熱シート５０Ｅと、放熱管５０とが順に接するように構成する。発光体セット５１も同様に、レンズ５１Ａと、レンズ固定環５１Ｂと、発光ダイオード５１Ｃと、変圧回路５１Dと、放熱シート５１Ｅと、放熱管５１とが順に接するように構成する。
【００２９】
レンズ５０Ａ、５１Ａは、光が通過する側の面が透明湾曲桿４０に接する。また、レンズ５０Ａ、５１Ａの入射側の一端にレンズ固定環５０Ｂ、５１Ｂを嵌着して、レンズ５０Ａ、５１Ａの入射側の一端に発光ダイオード５０Ｃ、５１Ｃの発光端を連結する。また、透明湾曲桿４０は、支持管３０の湾曲した板上の延伸部に接触する面に反射フィルム層４１を形成する。
【００３０】
図２に開示するように、それぞれの発光体セット５０、５１は、ほぼ共通した構造を具える。但し、支持部材３０の接続部３１に透明湾曲桿４０の一端を挿設する側の放熱管５０Ｆに比して、透明湾曲桿４０の他端側に接続する放熱管５１Ｆは極めて短い。これは、電気スタンドの上端が重くなり転倒することを防ぐためである。
【００３１】
また、放熱管５１Ｆには、放熱シート５１Ｅと、変圧回路５１Ｄとレンズ固定環５１Ｂと変圧回路５１Ｄと発光ダイオード５１Ａとレンズ５１Ａとを順に接するように構成して収納する嵌入孔５１ａを形成する。嵌入孔５１ａの深さは、嵌入孔５１ａの内壁で囲まれる空間に透明湾曲桿４０の湾曲して延伸する一端が嵌設できる深さとする。また、嵌入孔５１ａの壁面の適宜な位置にネジ孔５１ｂを形成して固定ネジ６０を貫通させ、放熱管５１Ｆを透明湾曲桿４０の一端に螺着する。
【００３２】
また、支持部材３０の板状になった一端で、放熱管５１Ｆ側の適宜な位置に、互いに連通するネジ孔３０ａ、５１ｃをそれぞれ形成し、固定ネジ６２をネジ孔３０ａ、５１ｃに貫通させて、放熱管５１Ｆと支持部材３０の板状になった一端とを螺着する。
【００３３】
さらに、いずれの発光セット５０、５１にも変圧回路５０Ｄ、５１Ｄの背面から放熱管５０Ｆ、５１Ｆの一端に放熱シート５０Ｅ、５１Ｅをそれぞれを貼着し、固定ネジ６１、６５をして変圧回路５０Ｄ、５１Ｄと、放熱シート５０Ｅ、５１Ｅの両端を貫通させて、放熱管５０Ｆ、５１Ｆの一端に固定させる。
【００３４】
支持管３０の接続部３１透明湾曲桿４０を挿入する一端の適宜な位置に、第３ネジ孔３１ａを穿設し、第３ネジ孔３１ａに固定ネジ６３を貫通させて接続部３１と透明湾曲桿４０の一端とを螺着し、固定する。さらに、支持管３０と立設管２０とが接続する部分の適宜な位置に相対する第４ネジ孔３１ｂと、第５ネジ孔２０ａを穿設し、第４ネジ孔３１ｂと、第５ネジ孔２０ａに固定ネジ６４を貫通させて、接続部３０と立設管２０の一端とを螺着して固定する。
【００３５】
また、立設管２０の壁面の適宜な位置に通気孔２１、２２を穿設する。発光体が発光して照明し発熱した場合、放熱管５０Ｆの部分で大量の熱を吸収し、熱によって上昇する対流が発生すると、外部の冷たい空気が通気孔２１、２２から放熱管２１、２２から流入して上昇し、放熱管２０内の上端に熱気を押し上げて放熱を促進する。
【００３６】
ベース１０は上面盤１１の底面に底盤１２を螺着して構成する。上面盤１１の適宜な位置には、押しボタン１３で弾性体１４を押し圧して開閉ブロック１５を動かす構造の開閉器１６を設け、かつ電源供給端に電気的に接続するとともに、変圧回路５０D、５１Ｄを介して発光ダイオード５０Ｃ、５１Ｃに電気的に接続し、押しボタン１３を操作することによって、発光ダイオード５０Ｃ、５１Ｃの開閉を制御する。さらに、支持管３０の湾曲した板上の部分に配線溝３２、３３を形成して、支持管３０の両端に設ける変圧回路５０Ｄ、５１Ｄを電線で電気的に接続する。
【００３７】
上述の構成による電器スタンドは、図４の説明図に開示するように、電気供給端に電力を供給し、変圧回路５０Ｄ、５１Ｄを介して発光ダイオード５０Ｃ、５１Ｃに電力を送って点灯させると。透明湾曲桿４０の両端から光線が入射し、透明湾曲桿４０の支持管３０の湾曲した板上の延伸部に接触する面に形成した反射フィルム層４１によって湾曲部の斜め下への反射が強化され、かつ湾曲透明管４０の両端から入射した光線は、透明湾曲桿４０の湾曲する箇所で交錯して、斜め下方に均一に分散して照明する。
【００３８】
発光ダイオード５０Ｃ、５１Ｃは、従来の導体としてフィラメントを利用した白熱灯に比して、節電が可能であり、これを利用した本考案の電気スタンドは組み立ても便利であり、かつ寿命になり投棄する場合においても各部材を容易に外すことができ、リサイクルのための回収に便利である。
【図面の簡単な説明】
【００３９】
【図１】この考案による電気スタンドの斜視図である。
【図２】図１に開示する電気スタンドの分解図である。
【図３】図１に開示する電気スタンドの一部断面図である。
【図４】図１に開示する電気スタンドの光線の動きを示した説明図である。
【符号の説明】
【００４０】
１０                      ベース
１１                       上面盤
１２                       底盤
１３                       押しボタン
１４                       弾性体
１５                       開閉ブロック
１６                       開閉器
２０                       立設管
２１、２２        通気孔
３０                              支持管
３０ａ                          ネジ孔
３１                              接続部
４０                              透明湾曲桿
４１                              反射フィルム層
６０、６１、６２、６３、６４、６５       固定ネジ
５０、５１              発光セット
５１ａ                         嵌入孔
５１ｂ、５１ｃ             ネジ孔
５０Ａ、５１Ａ             レンズ
５０Ｂ、５１Ｂ             固定環
５０Ｃ、５１Ｃ             発光ダイオード
５０Ｄ、５１Ｄ             変圧回路
５０Ｅ、５１Ｅ             放熱シート
５０Ｆ、５１Ｆ             放熱管
【図１】
0003155139.tif 000003
【図２】
0003155139.tif 000004
【図３】
0003155139.tif 000005
【図４】
0003155139.tif 000006
【手続補正書】
【提出日】平成21年5月22日(2009.5.22)
【手続補正１】
【補正対象書類名】実用新案登録請求の範囲
【補正対象項目名】請求項１
【補正方法】変更
【補正の内容】
【請求項１】
ベースに立設管の一端を挿設し、該立設管の他端には、底端が管状を呈して接続部となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、
該発光セットがレンズと、レンズ固定環と、発光ダイオードと、変圧回路と、放熱シートと、放熱管とが順に接するように構成することを特徴とする電気スタンド。
【手続補正２】
【補正対象書類名】実用新案登録請求の範囲
【補正対象項目名】請求項２
【補正方法】変更
【補正の内容】
【請求項２】
前記透明湾曲桿の湾曲部であって、該支持部材の湾曲した板状の延伸部に接触する面に反射フィルム層を形成することを特徴とする請求項１に記載の電気スタンド。
【手続補正３】
【補正対象書類名】実用新案登録請求の範囲
【補正対象項目名】請求項４
【補正方法】変更
【補正の内容】
【請求項４】
前記透明湾曲桿の該接続部に接続する一端とは逆の他端に設ける放熱管には、該放熱シートと該変圧回路と該レンズ固定環と該変圧回路と該発光ダイオードと該レンズとを順に接するように構成して収納する嵌入孔を形成し、該嵌入孔の深さは、該嵌入孔の内壁で囲まれる空間に該透明湾曲桿の湾曲して延伸する一端が嵌設できる深さとし、かつ該嵌入孔の壁面の適宜な位置にネジ孔を形成して固定ネジを貫通させ、該放熱管を透明湾曲桿の一端に螺着することを特徴とする請求項３に記載の電気スタンド。
【手続補正４】
【補正対象書類名】実用新案登録請求の範囲
【補正対象項目名】請求項７
【補正方法】変更
【補正の内容】
【請求項７】
前記支持部材は、該接続部の該透明湾曲桿を挿入する一端の適宜な位置に第３ネジ孔を穿設し、該第３ネジ孔に固定ネジを貫通させて該接続部と該透明湾曲桿の一端とを螺着し、固定することを特徴とする請求項１に記載の電気スタンド。
【手続補正５】
【補正対象書類名】実用新案登録請求の範囲
【補正対象項目名】請求項１１
【補正方法】変更
【補正の内容】
【請求項１１】
前記支持部材の湾曲した板上の部分に配線溝を形成することを特徴とする請求項１に記載の電気スタンド。
【手続補正６】
【補正対象書類名】明細書
【補正対象項目名】００１０
【補正方法】変更
【補正の内容】
【００１０】
そこで、本考案者は従来の技術に見られる欠点に鑑み鋭意研究を重ねた結果、発光ダイオードの照射する光線を反射させて均一に分散させる電気スタンドであって、ベースに立設管の一端を挿設し、該立設管の他端には、底端が管状を呈して接続部３１となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、該発光セットがレンズと、レンズ固定環と、発光ダイオードと、変圧回路と、放熱シートと、放熱管とが順に接するように構成する電気スタンドの構造によって課題を解決できる点に着眼し、係る知見に基づいて本考案を完成させた。
【手続補正７】
【補正対象書類名】明細書
【補正対象項目名】００１１
【補正方法】変更
【補正の内容】
【００１１】
以下、この考案について具体的に説明する。
請求項１に記載する電気スタンドは  ベースに立設管の一端を挿設し、該立設管の他端には、底端が管状を呈して接続部となり、背面側の管壁が上方に延伸して湾曲し、板状を呈する支持部材を挿設し、該接続部に光透過性の材質によってなり、該支持部材の湾曲に沿って湾曲した透明湾曲桿を挿設し、該透明湾曲桿の両端に複数の固定ネジで発光セットをそれぞれ螺着し、該発光セットがレンズと、レンズ固定環と、発光ダイオードと、変圧回路と、放熱シートと、放熱管とが順に接するように構成する。
【手続補正８】
【補正対象書類名】明細書
【補正対象項目名】００１２
【補正方法】変更
【補正の内容】
【００１２】
請求項２に記載する電気スタンドは、請求項１における透明湾曲桿の湾曲部であって、該支持部材の湾曲した板状の延伸部に接触する面に反射フィルム層を形成する。
【手続補正９】
【補正対象書類名】明細書
【補正対象項目名】００１４
【補正方法】変更
【補正の内容】
【００１４】
請求項４に記載する電気スタンドは、請求項３における透明湾曲桿の該接続部に接続する一端とは逆の他端に設ける放熱管に、該放熱シートと該変圧回路と該レンズ固定環と該変圧回路と該発光ダイオードと該レンズとを順に接するように構成して収納する嵌入孔を形成し、該嵌入孔の深さは、該嵌入孔の内壁で囲まれる空間に該透明湾曲桿の湾曲して延伸する一端が嵌設できる深さとし、かつ該嵌入孔の壁面の適宜な位置にネジ孔を形成して固定ネジを貫通させ、該放熱管を透明湾曲桿の一端に螺着する。
【手続補正１０】
【補正対象書類名】明細書
【補正対象項目名】００１７
【補正方法】変更
【補正の内容】
【００１７】
請求項７に記載する電気スタンドは、請求項１における支持部材が、該接続部の該透明湾曲桿を挿入する一端の適宜な位置に第３ネジ孔を穿設し、該第３ネジ孔に固定ネジを貫通させて該接続部と該透明湾曲桿の一端とを螺着し、固定する。
【手続補正１１】
【補正対象書類名】明細書
【補正対象項目名】００１８
【補正方法】変更
【補正の内容】
【００１８】
請求項８に記載する電気スタンドは、請求項１における支持部材と該立設管とが接続する部分の適宜な位置に相対する第４ネジ孔と、第５ネジ孔とを穿設し、該第４ネジ孔と、該第５ネジ孔とに固定ネジを貫通させて、該接続部と該立設管の一端とを螺着して固定する。
【手続補正１２】
【補正対象書類名】明細書
【補正対象項目名】００２１
【補正方法】変更
【補正の内容】
【００２１】
請求項１１に記載する電気スタンドは、請求項１における支持部材の湾曲した板上の部分に配線溝を形成する。
【手続補正１３】
【補正対象書類名】明細書
【補正対象項目名】００３４
【補正方法】変更
【補正の内容】
【００３４】
支持部材３０の接続部３１透明湾曲桿４０を挿入する一端の適宜な位置に、第３ネジ孔３１ａを穿設し、第３ネジ孔３１ａに固定ネジ６３を貫通させて接続部３１と透明湾曲桿４０の一端とを螺着し、固定する。さらに、支持部材３０と立設管２０とが接続する部分の適宜な位置に相対する第４ネジ孔３１ｂと、第５ネジ孔２０ａを穿設し、第４ネジ孔３１ｂと、第５ネジ孔２０ａに固定ネジ６４を貫通させて、接続部３０と立設管２０の一端とを螺着して固定する。
【手続補正１４】
【補正対象書類名】明細書
【補正対象項目名】００３６
【補正方法】変更
【補正の内容】
【００３６】
ベース１０は上面盤１１の底面に底盤１２を螺着して構成する。上面盤１１の適宜な位置には、押しボタン１３で弾性体１４を押し圧して開閉ブロック１５を動かす構造の開閉器１６を設け、かつ電源供給端に電気的に接続するとともに、変圧回路５０Ｄ、５１Ｄを介して発光ダイオード５０Ｃ、５１Ｃに電気的に接続し、押しボタン１３を操作することによって、発光ダイオード５０Ｃ、５１Ｃの開閉を制御する。さらに、支持部材３０の湾曲した板上の部分に配線溝３２、３３を形成して、支持部材３０の両端に設ける変圧回路５０Ｄ、５１Ｄを電線で電気的に接続する。
【手続補正１５】
【補正対象書類名】明細書
【補正対象項目名】００４０
【補正方法】変更
【補正の内容】
【００４０】
１０    ベース
１１    上面盤
１２    底盤
１３    押しボタン
１４    弾性体
１５    開閉ブロック
１６    開閉器
２０    立設管
２１、２２  通気孔
３０     支持部材
３０ａ    ネジ孔
３１     接続部
４０     透明湾曲桿
４１     反射フィルム層
６０、６１、６２、６３、６４、６５  固定ネジ
５０、５１   発光セット
５１ａ    嵌入孔
５１ｂ、５１ｃ  ネジ孔
５０Ａ、５１Ａ  レンズ
５０Ｂ、５１Ｂ  固定環
５０Ｃ、５１Ｃ  発光ダイオード
５０Ｄ、５１Ｄ  変圧回路
５０Ｅ、５１Ｅ  放熱シート
５０Ｆ、５１Ｆ  放熱管
【手続補正書】
【提出日】平成21年9月4日(2009.9.4)
【手続補正１】
【補正対象書類名】実用新案登録請求の範囲
【補正対象項目名】請求項８
【補正方法】変更
【補正の内容】
【請求項８】
前記支持部材と該立設管とが接続する部分の適宜な位置に相対する第４ネジ孔と、第５ネジ孔とを穿設し、該第４ネジ孔と、該第５ネジ孔とに固定ネジを貫通させて、該接続部と該立設管の一端とを螺着して固定することを特徴とする請求項１に記載の電気スタンド。